(57)【要約】【課題】既存の浴室に容易に取り付けられると共に、浴槽と洗い場との双方における入浴者の快適な状態を維持できる入浴介護装置を提供すること。【解決手段】洗い場６１と浴槽６２とが連設された浴室６内に設置される入浴介護装置１。洗い場６１の上方と浴槽６２の上方とにわたって配されるレール２１を備えた枠体２と、枠体２に対してレール２１の敷設方向と鉛直方向とに移動可能に設けられた椅子３と、レール２１に沿って移動可能に取り付けられると共に椅子３を昇降可能に吊り下げる昇降移動機４と、洗い場６１に設置されて椅子３を載置可能に設けられた台座５とを有する。【選択図】図１
2015139500.tif 000002
【特許請求の範囲】
【請求項１】
洗い場と浴槽とが連設された浴室内に設置される入浴介護装置であって、
上記洗い場の上方と上記浴槽の上方とにわたって配されるレールを備えた枠体と、
該枠体に対して上記レールの敷設方向と鉛直方向とに移動可能に設けられた椅子と、
上記レールに沿って移動可能に取り付けられると共に上記椅子を昇降可能に吊り下げる昇降移動機と、
上記洗い場に設置されて上記椅子を載置可能に設けられた台座とを有することを特徴とする入浴介護装置。
【請求項２】
上記椅子は、下方に立設した３本以上の脚部を有し、上記台座は、上記３本以上の脚部をそれぞれ支承する３個以上の受け部を有することを特徴とする請求項１に記載の入浴介護装置。
【請求項３】
上記受け部の少なくとも２個又は上記脚部の少なくとも２本は、鉛直方向に弾性的に変位するよう構成されていることを特徴とする請求項２に記載の入浴介護装置。
【請求項４】
上記受け部の少なくとも２個は、鉛直方向に弾性的に変位するよう構成された弾性受け部であり、上記台座に上記椅子が載置されていない状態において、複数の上記弾性受け部は互いに鉛直方向の位置が異なることを特徴とする請求項３に記載の入浴介護装置。
【請求項５】
上記脚部の少なくとも２本は、鉛直方向に弾性的に変位するよう構成された弾性脚部であり、上記台座に上記椅子が載置されていない状態において、複数の上記弾性脚部の下面は互いに鉛直方向の位置が異なることを特徴とする請求項３に記載の入浴介護装置。
【請求項６】
上記枠体には、上記浴室の側壁面に向かって進退すると共に当接して、上記浴室内における上記枠体の位置を調整すると共に固定する位置決め部材が設けてあることを特徴とする請求項１〜５のいずれか一項に記載の入浴介護装置。
【請求項７】
上記枠体は、鉛直方向に立設した複数の縦柱を有し、該複数の縦柱の少なくとも一つには、鉛直方向に進退可能な高さ調整部材が下端から突出形成されていることを特徴とする請求項１〜６のいずれか一項に記載の入浴介護装置。
【請求項８】
上記椅子は、座部と背もたれ部と肘掛部とを備え、上記座部には、上記椅子に座った上記入浴者の肛門周辺に向かって開口する底面開口部が形成されていることを特徴とする請求項１〜７のいずれか一項に記載の入浴介護装置。
【発明の詳細な説明】
【技術分野】
【０００１】
本発明は、洗い場と浴槽とが連設された浴室内に設置される入浴介護装置に関する。
【背景技術】
【０００２】
例えば被介護者等を入浴させる際に、入浴者を浴室の洗い場と浴槽との間を移動させることは介助者にとって容易なことではない。そこで、例えば、特許文献１に開示されているように、入浴者を支承するシートを昇降可能に吊り下げると共に移動させるリフト本体を備えた浴室ユニットが提案されている。
また、特許文献２には、被介護人の入浴時に浴室において使用する椅子が開示されている。
【先行技術文献】
【特許文献】
【０００３】
【特許文献１】特開平１０−５２４６９号公報
【特許文献２】実開平６−７７６８２号公報
【発明の概要】
【発明が解決しようとする課題】
【０００４】
しかしながら、特許文献１に記載の発明は、浴室ユニット自体の構造であり、一般家庭等における既存の浴室に取り付けるものではない。それゆえ、一般家庭等にこの浴室ユニットを安価に導入することは困難である。
また、特許文献１に記載の構成は、入浴者が座るシートが可撓性を有するものであるため、洗い場に着座する際に、入浴者の姿勢が安定しないという問題がある。これに対して、特許文献２に開示されたような椅子をシートの代わりに用いて、この椅子をリフトによって吊り下げ移動させることも考えられる。しかし、かかる構成では、椅子と共に浴槽に入浴者が入った際に、上半身が浴槽の湯面から出てしまうという問題がある。
【０００５】
本発明は、かかる背景に鑑みてなされたものであり、既存の浴室に容易に取り付けられると共に、浴槽と洗い場との双方における入浴者の快適な状態を維持できる入浴介護装置を提供しようとするものである。
【課題を解決するための手段】
【０００６】
本発明の一態様は、洗い場と浴槽とが連設された浴室内に設置される入浴介護装置であって、
上記洗い場の上方と上記浴槽の上方とにわたって配されるレールを備えた枠体と、
該枠体に対して上記レールの敷設方向と鉛直方向とに移動可能に設けられた椅子と、
上記レールに沿って移動可能に取り付けられると共に上記椅子を昇降可能に吊り下げる昇降移動機と、
上記洗い場に設置されて上記椅子を載置可能に設けられた台座とを有することを特徴とする入浴介護装置にある。
【発明の効果】
【０００７】
上記入浴介護装置は、浴室とは別体の構造物として構成されているため、浴室に対して容易に着脱可能となる。すなわち、上記入浴介護装置は、枠体を既存の浴室に取り付けることにより、既存の浴室をリフォーム等することなく、浴室内において容易に利用することができる。
【０００８】
また、上記入浴介護装置は、洗い場において椅子を載置する台座を有する。これにより、浴槽と洗い場との双方における入浴者の快適な状態を維持することができる。すなわち、上記入浴介護装置を用いて入浴者が浴槽に浸かる際には、入浴者は椅子に座ったまま椅子ごと浴槽の湯に浸かることとなる。このとき、入浴者の上半身が湯面から出ないように深く湯に浸かるためには、椅子の座面の高さを低くする必要がある。その一方で、入浴者は椅子と共に洗い場に移動するが、椅子の座面が低いと、洗い場において快適な姿勢を保ちにくいし、身体も洗いにくい。そこで、上記入浴介護装置は、洗い場に配置される台座を有し、該台座に椅子を載置できるよう構成してある。これにより、椅子の座面が低くても、洗い場の床面からの座面の高さは、充分に確保することができる。その結果、洗い場においても入浴者は快適な姿勢を保つことができる。
【０００９】
以上のごとく、本発明によれば、既存の浴室に容易に取り付けられると共に、浴槽と洗い場との双方における入浴者の快適な状態を維持できる入浴介護装置を提供することができる。
【図面の簡単な説明】
【００１０】
【図１】実施例１における、浴室に設置された入浴介護装置の正面図。
【図２】実施例１における、浴室に設置された入浴介護装置の平面図。
【図３】図１のIII−III線矢視断面図。
【図４】実施例１における、椅子の正面図。
【図５】実施例１における、椅子の平面図。
【図６】実施例１における、椅子の側面図。
【図７】実施例１における、台座の平面図。
【図８】実施例１における、台座の側面図。
【図９】実施例１における、台座の正面図。
【図１０】実施例１における、受け部の断面図。
【図１１】実施例１における、弾性受け部の断面図。
【図１２】実施例１における、１本の脚部を台座に載置した状態の正面図。
【図１３】実施例１における、２本の脚部を台座に載置した状態の側面図。
【図１４】実施例１における、椅子を台座に載置した状態の側面図。
【図１５】実施例２における、椅子を台座に載置する直前の状態の側面図。
【発明を実施するための形態】
【００１１】
上記入浴介護装置は、例えば一般家庭の浴室に取り付けて用いることができる。また、上記枠体は、複数の部材を着脱可能に組み合わせることにより、組み立てられているものとすることができる。
【００１２】
また、上記椅子は、下方に立設した３本以上の脚部を有し、上記台座は、上記３本以上の脚部をそれぞれ支承する３個以上の受け部を有することが好ましい。この場合には、洗い場において、入浴者の臀部や大腿部等を、洗浄しやすくすることができる。つまり、例えば椅子全体を支承する支承面を台座が備えた構成とした場合、入浴者の臀部や大腿部が台座に遮られて洗浄し難くなってしまう。そこで、椅子の各脚部をそれぞれ支承する受け部を設けることで、椅子の下側から入浴者の臀部や大腿部等を洗浄することができる。
なお、椅子は４本の脚部を備えることがより好ましく、これに対応して、台座は４個の受け部を備えることがより好ましい。
【００１３】
また、上記受け部の少なくとも２個又は上記脚部の少なくとも２本は、鉛直方向に弾性的に変位するよう構成されていることが好ましい。この場合には、椅子を台座に載置する前の状態において、２個の受け部の鉛直方向の位置又は２本の脚部の下面の鉛直方向の位置を、他の受け部の鉛直方向の位置又は他の脚部の下面の鉛直方向の位置よりも高くすることができる。これにより、椅子を台座に載置する際に、まずは２本の脚部を２個の受け部に載せることができる。これにより、椅子と台座との水平方向の位置合わせを容易に行うことができる。それゆえ、この状態から、椅子を下ろすことにより、他の脚部が他の受け部に載置されることとなる。その結果、３本以上の脚部を容易かつ確実に、３個以上の受け部に載置することができる。
なお、椅子は４本の脚部を備え、台座は４個の受け部を備え、４本の脚部のうちの２本又は４個の受け部のうちの２個が、鉛直方向に弾性的に変位するよう構成されていることがより好ましい。
【００１４】
また、上記受け部の少なくとも２個は、鉛直方向に弾性的に変位するよう構成された弾性受け部であり、上記台座に上記椅子が載置されていない状態において、複数の上記弾性受け部は互いに鉛直方向の位置が異なることが好ましい。この場合には、複数の脚部を１本ずつ順次、弾性受け部に載せることができる。それゆえ、一層容易かつ確実に、入浴者を載せた椅子を台座に載置することができる。
【００１５】
また上記脚部の少なくとも２本は、鉛直方向に弾性的に変位するよう構成された弾性脚部であり、上記台座に上記椅子が載置されていない状態において、複数の上記弾性脚部の下面は互いに鉛直方向の位置が異なる構成としてもよい。この場合にも、一層容易かつ確実に、入浴者を載せた椅子を台座に載置することができる。
【００１６】
また、上記枠体には、上記浴室の側壁面に向かって進退すると共に当接して、上記浴室内における上記枠体の位置を調整すると共に固定する位置決め部材が設けてあることが好ましい。この場合には、さまざまな幅や奥行きを有する浴室に、枠体を安定して取り付けることが容易となる。
【００１７】
また、上記枠体は、鉛直方向に立設した複数の縦柱を有し、該複数の縦柱の少なくとも一つには、鉛直方向に進退可能な高さ調整部材が下端から突出形成されていることが好ましい。この場合には、複数の縦柱を、浴室内における高さの異なる位置に立設させることができる。また、枠体を安定して浴室に設置することができる。
【００１８】
また、上記椅子は、座部と背もたれ部と肘掛部とを備え、上記座部には、上記椅子に座った上記入浴者の肛門周辺に向かって開口する底面開口部が形成されていることが好ましい。この場合には、入浴者を安定して椅子に着座させることができると共に、肛門付近の洗浄を容易に行うことができる。
【実施例】
【００１９】
（実施例１）
上記入浴介護装置の実施例につき、図１〜図１４を用いて説明する。
本例の入浴介護装置１は、図１、図２に示すごとく、洗い場６１と浴槽６２とが連設された浴室６内に設置される。
入浴介護装置１は、図１〜図３に示すごとく、枠体２と、椅子３と、昇降移動機４と、台座５とを有する。なお、図２においては、昇降移動機４の図示を省略している。
【００２０】
枠体２は、洗い場６１の上方と浴槽６２の上方とにわたって配されるレール２１を備えている。椅子３は、枠体２に対してレール２１の敷設方向と鉛直方向とに移動可能に設けられている。昇降移動機４は、レール２１に沿って移動可能に取り付けられると共に椅子３を昇降可能に吊り下げる。台座５は、洗い場６１に設置されて椅子３を載置可能に設けられている。
【００２１】
枠体２は、長方形状の天井枠部２２と、該天井枠部２２の４つの角部から鉛直方向下方へ延びる４本の縦柱２３と、天井枠部２２に固定されたレール２１とを有する。図２に示すごとく、天井枠部２２は、一対の短辺部２２１と、該一対の短辺部２２１の両端を連結する一対の長辺部２２２とからなる。レール２１は、一対の短辺部２２１の下面に固定され、長辺部２２２に平行に配設されている。
【００２２】
また、図１、図３に示すごとく、縦柱２３は、鉛直方向に分割可能に構成されており、接続部２３３において互いに着脱可能な柱上部２３１と柱下部２３２とからなる。柱上部２３１と柱下部２３２とは、例えばボルト等によって互いに着脱可能に固定されている。柱上部２３１は、天井枠部２２と例えば溶接等によって一体化されている。また、４本の柱上部２３１のうち、天井枠部２２の短辺部２２１に平行に並んだ柱上部２３１同士は、短辺部２２１と平行な連結部２４によって連結されている。つまり、連結部２４の両端部は、一対の柱上部２３１と溶接等によって固定されている。
【００２３】
図１〜図３に示すごとく、枠体２には、浴室６の側壁面６３に向かって進退すると共に当接して、浴室６内における枠体２の位置を調整すると共に固定する位置決め部材２５が設けてある。本例においては、天井枠部２２の一対の長辺部２２２と、一対の連結部２４とに、位置決め部材２５が取り付けてある。
【００２４】
すなわち、長辺部２２２及び連結部２５には、それぞれの部材の長手方向に直交すると共に水平な方向に、ネジ穴２６が貫通形成されており、該ネジ穴２６に長尺のボルトからなる位置決め部材２５が螺合されている。位置決め部材２５は、各長辺部２２２及び各連結部２４にそれぞれ２箇所ずつ取り付けられている。
【００２５】
各位置決め部材２５は、浴室６における四方の側壁面６３のいずれかに当接する。すなわち、４つの側壁面６３のそれぞれには、２本ずつの位置決め部材２５が当接する。位置決め部材２５は、枠体２に螺合する雄ネジ部２５１と、該雄ネジ部２５１の基端に設けられたパッド部２５２とからなる。パッド部２５２が側壁面６３に当接する。そして、パッド部２５２における側壁面６３に当接する側の面である当接面に、ゴム等の弾性部材が配設されている。
【００２６】
また、ネジ穴２６は、各長辺部２２２及び各連結部２４に、一つの位置決め部材２５に対して複数個形成されている。この複数個のネジ穴２６のいずれかを選択して、任意のネジ穴２６に、位置決め部材２５を取り付けることができるようになっている。つまり、既存の浴室６の側壁面６３は、照明やシャワー等の設備が既に配設されていることがあり、位置決め部材２５は、これらの設備の存在しない位置において、側壁面６３に当接させる必要がある。その他、浴室６における種々の状況によって、位置決め部材２５を配置する位置を変える必要がある。それゆえ、一つの位置決め部材２５に対して複数個のネジ穴２６を設けておくことで、入浴介護装置１を浴室６に設置する際に、位置決め部材２５の取り付け位置を選べるようにしている。
【００２７】
また、４本の縦柱２３は、そのうちの２本が洗い場６１において立設し、他の２本が浴槽６２における洗い場６１とは反対側の縁において立設するよう構成されている。そのために、浴槽６２の縁に立設する２本の縦柱２３は、洗い場６１に立設する２本の縦柱２３よりも短い。この長さの違いは、柱下部２３２の長さの違いによって設けられている。
【００２８】
また、縦柱２３には、鉛直方向に進退可能な高さ調整部材２７が下端から突出形成されている。この高さ調整部材２７も、雄ネジ部２７１とその下端に設けられたパッド部２７２とから構成されている。これにより、高さ調整部材２７は、雄ネジ部２７１を縦柱２３に螺合することにより、縦柱２３に対して鉛直方向に進退可能に取り付けられている。そして、高さ調整部材２７のパッド部２７２が、洗い場６１の床面又は浴槽６２の縁に当接する。
【００２９】
図４〜図６に示すごとく、椅子３は、座部３１と背もたれ部３２と肘掛部３３とを備えている。座部３１には、椅子３に座った入浴者の肛門周辺に向かって開口する底面開口部３１１が形成されている。また、背もたれ部３２には、椅子３に座った入浴者の背中の中央付近に向かって開口する背面開口部３２１が形成されている。
また、座部３１の下側に、４本の脚部３４が下方へ突出している。４本の脚部３４は、椅子３の前側と後側とに、それぞれ２本ずつ設けてある。脚部３４を含めた椅子３の骨組み３５は、鋼材等の金属によって構成されている。そして、座部３１、背もたれ部３２、肘掛部３３は、骨組み３５に固定された木質板によって構成されている。
【００３０】
図１、図３に示すごとく、椅子３は、骨組み３５の４箇所に係合した吊下補助具４０の補助ワイヤー４０１等を介して、昇降移動機４に吊るされる。昇降移動機４は、レール２１を走行可能な走行ローラ４１と、走行ローラ４１に固定された巻き上げ機４２と、巻き上げ機４２によって巻き上げられるワイヤー４３と、ワイヤー４３の下端に設けられたフック４４とを有する。椅子３に係合した吊下補助具４０をフック４４に係合することで、昇降移動機４は、入浴者を載せた椅子３を、昇降すると共に、レール２１の敷設方向に移動させることができる。
なお、走行ローラ４１及び巻き上げ機４２は電動とすることができ、この場合、昇降移動機４は、電動モータの力により椅子３を昇降移動させることができる。
【００３１】
図１〜図３に示すように洗い場６１に載置される台座５は、図７〜図９に示すごとく、椅子３の脚部３４をそれぞれ支承する４個の受け部５１を有する。受け部５１は、図１０に示すごとく、上方へ向かって開口した凹状部によって構成され、凹状部は、上方へ向かうほど外側へ広がるように形成されたテーパ面５１２を有する。このテーパ面５１２によって脚部３４を受け部５１の中央へガイドすることができる。
【００３２】
受け部５１のうちの２個は、鉛直方向に弾性的に変位するよう構成された弾性受け部５１１である。図９に示すごとく、台座５に椅子３が載置されていない状態において、２個の弾性受け部５１１は互いに鉛直方向の位置が異なる。また、図８に示すごとく、台座５に椅子３が載置されていない状態において、２個の弾性受け部５１１は、他の受け部５１よりも鉛直方向の位置が高い。
【００３３】
本例において、具体的には、前側の２個の受け部５１が、弾性受け部５１１である。そして、２本の弾性受け部５１１のうち左側の弾性受け部５１１が、右側の弾性受け部５１１よりも高い位置にある。ここで、左側、右側とは、椅子３に座った入浴者から見たものである。本明細書においては、特に示さない限り、入浴者から見た方向で、左右等の方向を規定する。
【００３４】
また、図１４に示すごとく、椅子２が載置されて弾性受け部５１１が下端まで下がった状態においては、すべての受け部５１が同じ鉛直方向の位置に配置されることとなる。
図７〜図９に示すごとく、台座５は、受け部５１を上端部に設けた４本の支柱５２と、該４本の支柱５２を互いに連結する連結バー５３とを有する。後側の受け部５１は、図１０に示すごとく、支柱５２の上端部に固定されているが、前側の受け部５１である弾性受け部５１１は、図１１に示すごとく、支柱５２の上端部に、コイルばね５４を介して取り付けてある。そして、２つの弾性受け部５１１におけるコイルばね５４は、互いに弾性変形量が異なる。これにより、２つの弾性受け部５１１の変位量（ストローク）が互いに異なる。
【００３５】
次に、本例の入浴介護装置１の使用方法の一例につき、説明する。
一般家庭等における浴室６に、入浴介護装置１を取り付けるにあたっては、枠体２を複数部品に分解した状態で浴室６に入れる。つまり、本例では、柱下部２３２を、天井枠部２２と柱上部２３１との一体品から外した状態で、これらを浴室６内に入れる。そして、浴室６において、枠体２を組み立てると共に、浴室６内に固定する。
また、昇降移動機４を枠体２のレール２１に取り付ける。また、台座５を洗い場６１における適切な位置に載置する。ただし、台座５は、特に洗い場６１に固定する必要はない。また、椅子３を、昇降移動機４に、吊下補助具４０を介して取り付ける。
【００３６】
被介護者等の入浴者を、入浴介護装置１によって入浴させる際には、まず、台座５に載置された椅子３に、入浴者を座らせる。次いで、昇降移動機４によって、入浴者を載せた椅子３を上昇させる。次いで、昇降移動機４をレール２１に沿って浴槽６２の上方まで移動させることで、入浴者を載せた椅子３を浴槽６２の上方まで移動させる。次いで、昇降移動機４によって、椅子３を降下させ、入浴者を浴槽６２内に入れる。椅子３の座面は低いため、浴槽６２内の湯に、入浴者は上半身まで充分に浸かれる。
【００３７】
この状態から、入浴者を洗い場６１に移動させるにあたっては、上記と逆の操作によって、椅子３を台座５の上に載せる。椅子３が台座５に載っていない状態においては、上述のように、台座５の４つの受け部５１のうち左前の弾性受け部５１１が最も高い位置に存在する。それゆえ、図１２に示すごとく、この左前の受け部５１（弾性受け部５１１）に、椅子３の左前の脚部３４だけを載せることができる。この受け部５１と脚部３４との位置合わせは、介助者等が、台座５の位置を微調整するなどして行うこととなる。
【００３８】
そして、さらに椅子３を少しずつ降下させる。このとき、左前の弾性受け部５１１も徐々に降下することとなる。次いで、２番目に高い位置にある右前の受け部５１（弾性受け部５１１）に、椅子３の右前の脚部３４を載せる。ここでも、介助者等が、台座５の向き等を微調整するなどして受け部５１と脚部３４との位置合わせを行う。このようにして、２本の脚部３４と２個の受け部５１とが互いに位置合わせされると、図１３に示すごとく、他の２本の脚部３４、すなわち後側の２本の脚部３４も、受け部５１に対して正確な位置に自動的に位置合わせされることとなる。
【００３９】
そして、さらに椅子３を少しずつ降下させると、右前の弾性受け部５１１も、左前の弾性受け部５１１と共に降下する。そして、図１４に示すごとく、後側の脚部３４も台座５の受け部５１に達する。これにより、４本の脚部３４が、それぞれ４個の受け部５１に載置された状態で、椅子３が台座５に載置される。
【００４０】
椅子３が台座５に載置された状態においては、椅子３に座った入浴者は、腰の位置が適度な高さとなり、快適な姿勢を取ることができる。そして、洗い場６１において、椅子３に座ったままの入浴者の身体を洗浄することができる。
【００４１】
次に、本例の作用効果につき説明する。
上記入浴介護装置１は、浴室６とは別体の構造物として構成されているため、浴室６に対して容易に着脱可能となる。すなわち、入浴介護装置１は、枠体２を既存の浴室６に取り付けることにより、既存の浴室６をリフォーム等することなく、浴室６内において容易に利用することができる。
【００４２】
また、入浴介護装置１は、洗い場６１において椅子３を載置する台座５を有する。これにより、浴槽６２と洗い場６１との双方における入浴者の快適な状態を維持することができる。すなわち、入浴介護装置１を用いて入浴者が浴槽６２に浸かる際には、入浴者は椅子３に座ったまま椅子３ごと浴槽６２の湯に浸かることとなる。このとき、入浴者の上半身が湯面から出ないように深く湯に浸かるためには、椅子３の座面の高さを低くする必要がある。その一方で、入浴者は椅子３と共に洗い場６１に移動するが、椅子３の座面が低いと、洗い場６１において快適な姿勢を保ちにくいし、身体も洗いにくい。そこで、入浴介護装置１は、洗い場６１に配置される台座５を有し、該台座５に椅子３を載置できるよう構成してある。これにより、椅子３の座面が低くても、洗い場６１の床面６１１からの座面の高さは、充分に確保することができる。その結果、洗い場６１においても入浴者は快適な姿勢を保つことができる。
【００４３】
また、台座５は、椅子３の４本の脚部３４をそれぞれ支承する４個の受け部５１を有するため、洗い場６１において、入浴者の臀部や大腿部等を、洗浄しやすくすることができる。つまり、例えば、仮に椅子３全体を支承する支承面を台座が備えた構成とした場合、入浴者の臀部や大腿部が台座に遮られて洗浄し難くなってしまう。そこで、椅子の各脚部３４をそれぞれ支承する受け部５１を設けることで、椅子３の下側から入浴者の臀部や大腿部等を洗浄することができる。
【００４４】
また、受け部５１のうちの２個は、鉛直方向に弾性的に変位する弾性受け部５１１である。そして、椅子３を台座５に載置する前の状態において、２個の受け部５１（弾性受け部５１１）の鉛直方向の位置を、他の受け部５１の鉛直方向の位置よりも高くしている。さらに、台座５に椅子３が載置されていない状態において、２つの弾性受け部３４は互いに鉛直方向の位置が異なる。これにより、図１２、図１３に示すごとく、２本の脚部３４を１本ずつ順次、弾性受け部５１１に載せることができる。それゆえ、一層容易かつ確実に、入浴者を載せた椅子３を台座５に載置することができる。
【００４５】
また、枠体２には、位置決め部材２５が設けてあるため、さまざまな幅や奥行きを有する浴室６に、枠体２を安定して取り付けることが容易となる。
また、枠体２の縦柱２３には、高さ調整部材２７が下端から突出形成されているため、４本の縦柱２３を、浴室６内における高さの異なる位置に立設させることができる。また、枠体２を安定して浴室６に設置することができる。
【００４６】
また、椅子３は、座部３１と背もたれ部３２と肘掛部３３とを備え、座部３１には底面開口部３１１が形成されている。これにより、入浴者を安定して椅子３に着座させることができると共に、肛門付近の洗浄を容易に行うことができる。つまり、椅子３が背もたれ部３２と肘掛部３３とを有することにより、入浴者を安定して椅子に着座させることができる。そして、椅子３が底面開口部３１１を備えることにより、入浴者の肛門付近を洗浄しやすくすることができる。特に、入浴者が被介護者である場合、洗い場６１における安定した着座や、洗い場６１と浴槽６２との間の移動中における安定した着座、さらには、肛門付近の洗浄の容易性は、極めて重要である。それゆえ、椅子３が上述の構成を有することにより、被介護者を安心、快適な状態で入浴させることができる。
【００４７】
以上のごとく、本例によれば、既存の浴室に容易に取り付けられると共に、浴槽と洗い場との双方における入浴者の快適な状態を維持できる入浴介護装置を提供することができる。
【００４８】
（実施例２）
本例は、図１５に示すごとく、椅子３の脚部３４のうちの２本を、鉛直方向に弾性的に変位するよう構成された弾性脚部３４１とした例である。
台座５に椅子３が載置されていない状態において、複数の弾性脚部３４１の下面は互いに鉛直方向の位置が異なる。
【００４９】
本例においては、前側の２本の脚部３４を弾性脚部３４１としている。
また、本例においては、台座５の４つの受け部５１は、すべて支柱５２の上端に固定されており、支柱５２に対して変位することはない。
その他は、実施例１と同様である。なお、本例又は本例に関する図面において用いた符号のうち、実施例１において用いた符号と同一のものは、特に示さない限り、実施例１と同様の構成要素等を表す。
【００５０】
本例の場合にも、容易かつ確実に、入浴者を載せた椅子３を台座５に載置することができる。その他、実施例１と同様の作用効果を有する。
【００５１】
なお、実施例１においては、４つの受け部５１のうちの前側の２つを弾性受け部５１１としたが、必ずしもこれに限られるものではなく、例えば、後側の２つの受け部を弾性受け部としてもよいし、左側又は右側の２つの受け部を弾性受け部とすることもできる。また、実施例１においては、椅子３が載っていない状態において、左側の弾性受け部５１１が右側の弾性受け部５１１よりも高い位置にある例を示したが、これも限定されるものではなく、右側の弾性受け部が左側の弾性受け部よりも高い位置にある構成としてもよい。
また、実施例２における弾性脚部３４１の配置についても、実施例１における弾性受け部５１と同様に、適宜変更した構成とすることができる。
【符号の説明】
【００５２】
１  入浴介護装置
２  枠体
２１  レール
３  椅子
４  昇降移動機
５  台座
６  浴室
６１  洗い場
６２  浴槽
【図１】
2015139500.tif 000003
【図２】
2015139500.tif 000004
【図３】
2015139500.tif 000005
【図４】
2015139500.tif 000006
【図５】
2015139500.tif 000007
【図６】
2015139500.tif 000008
【図７】
2015139500.tif 000009
【図８】
2015139500.tif 000010
【図９】
2015139500.tif 000011
【図１０】
2015139500.tif 000012
【図１１】
2015139500.tif 000013
【図１２】
2015139500.tif 000014
【図１３】
2015139500.tif 000015
【図１４】
2015139500.tif 000016
【図１５】
2015139500.tif 000017